(57)【要約】      （修正有）【課題】製造容易かつ安価に製造できるとともに、被取り付け部に傷を付けることなく、安全に、さらに、騒音を発生することなく支持取り付けされる、移動収納棚のゲートパネル等として好適に用いられるパネル体を提供する。【解決手段】周囲がパイプ４によって構成されるパネル体１において、パイプ４の一部に面ファスナー機能を持つ支持用帯片３０が取り付けられ、支持用帯片３０が被取り付け部に巻き付け状態とすることで支持配置される。【選択図】図１
0003149226.tif 000002
【実用新案登録請求の範囲】
【請求項１】
周囲がパイプによって構成されるパネル体において、
前記パイプの一部に面ファスナー機能を持つ支持用帯片が取り付けられ、前記支持用帯片が被取り付け部に巻き付け状態とされることで支持配置されることを特徴とするパネル体。
【請求項２】
前記支持用帯片の巻き付け側端部に差し入れガイドプレートが取り付けられてなる請求項１記載のパネル体。
【請求項３】
請求項１又は２記載のパネル体よりなる移動収納棚のゲートパネル。
【考案の詳細な説明】
【技術分野】
【０００１】  この考案は、移動収納棚のゲートパネル等として好適に用いられるパネル体に関する。
【背景技術】
【０００２】  工場や倉庫においは、物品が収納でき、かつ、キャスターを備えて移動可能な移動収納棚が汎用されている。この種の移動収納棚は通常前面が開放しているが、移動時等に収納物品を安定させ、また、収納状態を見栄え良くするようにその前面開口にゲートパネルを取り付ける場合がある（図３参照）。このゲートパネルの移動収納棚への従来における取り付け支持は、例えば、ゲートパネルに一体に固定した金属製のロック具を移動収納棚の開口側枠に係止固定することで行っていた。
【考案の開示】
【考案が解決しようとする課題】
【０００３】  上記従来のゲートパネルの支持構造の場合、ロック具を別途製造して取り付けるので製造に手間がかかるとともにコストが高くなった。また、ロック具が金属製であるので係止する開口側枠に傷が残ったり、係止作業の際に誤って指詰等して負傷する場合があった。さらに、係止操作時に騒音を発するという問題もあった。【０００４】  この考案は上記の点に鑑みて行ったもので、製造容易かつ安価に製造できるとともに、被取り付け部に傷を付けることなく、安全に、さらに、騒音を発生することなく支持取り付けされるパネル体を提供することを目的とする。とくに移動収納棚のゲートパネル等として好適に用いられるパネル体を提供することを目的とする。
【課題を解決するための手段】
【０００５】  この考案では、周囲がパイプによって構成されるパネル体において、前記パイプの一部に面ファスナー機能を持つ支持用帯片が取り付けられ、前記支持用帯片が被取り付け部に巻き付け状態とされることで支持配置されることを特徴とするパネル体を提供する。【０００６】  この考案のパネル体は、支持用帯片を被取り付け部に巻き付け固定することで所定位置に支持配置される。パネル体は支持用帯片を用いることで金属製ロック具を使用する場合に比べて製造容易、かつ、安価に得られる。さらに、支持用帯片は金属製でないことでその固定作業は騒音を発することなく行え、指詰め等の怪我を生じる恐れもない。また、被取り付け部側に傷をつけることもない。とくに、支持用帯片の巻き付け側端部に差し入れガイドプレートを取り付けることで、その部分をガイドとして巻き付け作業が容易に行われる。【０００７】  この考案のパネル体は、空間の閉鎖や仕切り等の種々機能を発揮するように適宜の形態、適宜の部所において使用可能であり、とくに移動収納棚の前面の開放部を覆うように用いられるゲートパネル等として好適に用いられる。
【考案の効果】
【０００８】  この考案によれば、製造容易かつ安価に製造できるとともに、被取り付け部に傷を付けることなく、安全に、さらに、騒音を発生することなく支持取り付けされるパネル体が得られ、とくにきわめて実用性に優れる移動収納棚のゲートパネルが得られる。
【考案を実施するための最良の形態】
【０００９】  図１はこの考案のゲートパネルの正面図、図２はその部分拡大斜視図である。ゲートパネル（請求項１のパネル体）１は、全体が金属製で、パイプよりなる方形の周囲枠２の両側枠部４それぞれの間にパイプよりなる横桟６が溶接固定され、さらに上枠部８と下枠部１０との間にパイプよりなる２本の縦桟１２と鉄棒材よりなる３本の縦桟１４とのそれぞれが溶接固定されて構成されている。また、上枠部８の上部には側面形態が折れ曲がった係止プレート１６が溶接固定され、その係止プレート１６の上側に、パイプよりなる上枠１８と下枠２０とそれらの間に配置される５本の縦桟２２とからなる上面部２４が一体に取り付けられている。【００１０】  ３０のそれぞれが支持用帯片で、周囲枠２の両側枠部４それぞれの下部に取り付けられている。支持用帯片３０は両面に無数の係止用突起３９を備えることで面ファスナー機能［マジックテープ（商標）機能］を備えている。ゲートパネル１の両側枠部４の前面には取り付け孔２６を形成するように側面コ字型の取り付け片２８が溶接固定され、支持用帯片３０は一方端部３２がその取り付け孔２６に挿入されて折り返され、その端部３２近傍が途中部３４にリベット３６で固定されて取り付けられている。他方端部３３の前面には、プラスチックス製の差し入れガイドプレート３５が取り付けられている【００１１】  図３はゲートパネル１の使用時の正面図、図４はその部分拡大斜視図である。４０は移動収納棚であり、その前面の上部に位置する横パイプ４２に係止プレート１６の水平部が係止されることでゲートパネル１は移動収納棚４０の前面の開放部を覆うように吊り下げ状態に設けられ、かつ、支持用帯片３０によりその下部の両側が移動収納棚４０に固定されている。【００１２】  その固定は、支持用帯片３０の差し入れガイドプレート３５が取り付けられた他方端部３３側が、移動収納棚４０の側縦パイプ４４に、さらに、自身が取り付けられている側枠部４に一体に巻き付けられ、巻き付けた際の内面が前面に位置する自身の表面に当接され、面ファスナー機能によって固定されている。上記の巻き付け動作を締め付けるように行うことで強固な固定が可能となる。その巻き付け固定作業に際し、移動収納棚４０内に多くの物品が納められていてその前部が側枠部４に接近している場合には、手が邪魔となって支持用帯片３０の他方端部３３を側枠部４の後方に差し入れにくいが、その他方端部３３に差し入れガイドパネル３５が取り付けられていることで他方端部３３のみが差し入れでき、これにより巻き付け固定が容易に行われる。【００１３】  ゲートパネル１は、上記のように下部の両側で支持用帯片３０により移動収納棚４０に固定されることで、移動収納棚４０の前面開放位置に安定支持される。支持用帯片３０の巻き付けにより固定支持されるので、その固定作業は騒音を発することなく行え、指詰め等の怪我を生じる恐れもない。また、移動収納棚４０の側縦パイプ４４に固定痕が残ることもない。移動収納棚４０はゲートパネル１が取り外された状態においても使用されるので、その際固定痕は目に触れて見苦しいものとなる。【００１４】  図５はゲートパネルの他の実施形態を示す。この実施形態における支持用帯片５０はナイロン製ベルト５１の一方端部５２側の一方側面と他方端部５３側の他方側面とのそれぞれにファスナー片５５、５６それぞれが取り付けられ、他方端部５３の一方側面に差し入れガイドパネル５７が取り付けられて構成されている。支持用帯片５０は一方端部５２側が取り付け片２８の取り付け孔２６に差し入れられるとともに、側枠部４に巻きつけられリベット３６で固定されて取り付けられている。移動収納棚４０への固定作業は上記の実施形態のものと同様に行い、側縦パイプ４４に巻き付けられた状態においてファスナー片５６面が側枠部４の後部から側部、さらに、前部において取り付け片２８から突出する位置のファスナー片５５面に当接固定されて行われる。この実施形態のものでは、支持用帯片５０の側枠部４への取り付けが安定して行われ、また、ファスナー片５５、５６を必要部分のみに設けたことで安価に得られる利点がある。
【図面の簡単な説明】
【００１５】
【図１】  この考案のゲートパネルの実施形態の正面図
【図２】  この考案のゲートパネルの実施形態の拡大斜視図
【図３】  この考案のゲートパネルの実施形態の使用状態正面図
【図４】  この考案のゲートパネルの実施形態の使用状態拡大斜視図
【図５】  この考案のゲートパネルの他の実施形態の拡大斜視図
【符号の説明】
【００１６】１    ゲートパネル（パネル体）
４    側枠部（パイプ）
３０  支持用帯片
３５  差し入れガイドプレート
４４  側縦パイプ（被取り付け部）
【図１】
0003149226.tif 000003
【図２】
0003149226.tif 000004
【図３】
0003149226.tif 000005
【図４】
0003149226.tif 000006
【図５】
0003149226.tif 000007